(57)【要約】【課題】省スペースエレベータ構成を実現する偏向モジュールを提供する。【解決手段】本偏向モジュール９において、偏向要素１０は、互いに対して変位可能である。偏向要素１０は、相互に支持され、最も外側の偏向要素１０は、各々の側部でベアリングプレート１１によって担持される。従来の偏向モジュールの矩形構造に対し、偏向要素１０の相互変位可能性によって達成できる最大の角度は、αによって表される。偏向要素１０は、実質的にハウジング１３からなり、ハウジング１３は、軸１２を担持し、かつ相互変位可能性のため、片側に溝１４および反対側にほぞ１５を有する。偏向ローラ１６は、軸１２に回転可能に配置され、駆動手段例えば平ベルト２を誘導しかつ偏向させることに適し、または平ベルトの方向に変化、例えば９０°をもたらすことに適している。【選択図】図３
2006321656.tif 000002
【特許請求の範囲】
【請求項１】
エレベータケージと釣り合いおもりとを支える支持手段（２）を偏向させるためのエレベータ用偏向モジュールであって、複数の支持手段（２）が、支持手段（２）の方向に変化をもたらす偏向ローラ（１６）によって誘導され、各支持手段（２）につき、それぞれの偏向要素（１０）が設けられ、該偏向要素（１０）に、少なくとも一つの偏向ローラ（１６）の回転可能載置のため少なくとも一つの軸（１２）が配置されることを特徴とする、偏向モジュール。
【請求項２】
複数の偏向要素（１０）のハウジング（１３）が、互いに対して変位可能であり、かつベアリングプレート（１１）によって担持されることを特徴とする、請求項１に記載の偏向モジュール。
【請求項３】
溝、ほぞ（１５）、スロット（２４）、及び穴（２５）が、偏向要素（１０）の相互変位可能性のためにハウジング（１３）に配置されることを特徴とする、請求項２に記載の偏向モジュール。
【請求項４】
偏向要素（１０）が、ベースプレート（２８）によって連結可能であり、ベースプレート（２８）が、平行四辺形の原理により、各偏向要素（１０）またはハウジング（１３）が、隣接する偏向要素（１０）またはハウジング（１３）に対しそれぞれ同距離だけ変位可能であることを保証する、請求項３に記載の偏向モジュール。
【請求項５】
支持手段端部を固定するそれぞれの支持手段固定点（１７）が、各ハウジング（１３）に設けられることを特徴とする、請求項１から４のいずれか一項に記載の偏向モジュール。
【請求項６】
支持手段固定点（１７）が、ハウジング（１３）内に延在するヨーク（１９）を有し、支持手段端部連結部（１８）が、ヨークの一方の端部に配置され、ヨークが、補償スプリング（２１）によりハウジング（１３）で支持されるネジ付きピン（２０）によって、他方の端部で担持されることを特徴とする、請求項５に記載の偏向モジュール。
【請求項７】
偏向要素（１０）が、２：１または１：１の支持手段のため偏向ローラ（１６）を備えることを特徴とする、請求項１から６のいずれか一項に記載の偏向モジュール。
【請求項８】
偏向要素（１０）が、４：１の支持手段誘導のため二つの偏向ローラ（１６）を備えることを特徴とする、請求項１から６のいずれか一項に記載の偏向モジュール。
【請求項９】
請求項１から８のいずれか一項に記載の偏向モジュールを備える、エレベータ。
【発明の詳細な説明】
【技術分野】
【０００１】
本発明は、エレベータケージと釣り合いおもりとを支持する支持手段を偏向させるためのエレベータ用偏向モジュールに関し、支持手段は、独立特許請求の規定に従い、支持手段の方向に変化をもたらす偏向ローラによって誘導される。
【背景技術】
【０００２】
二つの偏向ローラを備える偏向モジュールは、独国特許出願公開第２３３３１２０号明細書から知られており、各ローラが、エレベータケージと釣り合いおもりとを支持する平らな支持手段を偏向させる。一方のローラは、ブラケットによって担持される回転軸に固定的に連結される。他方のローラは、軸に回転自在に配置される。
【０００３】
知られている装置の不利な点は、数個のローラが互いに隣接して配置される場合に、偏向モジュールが、かなり幅広の構造を有し、かつ狭い昇降路の条件下では必ずしも使用できないという事実にある。
【特許文献１】独国特許出願公開第２３３３１２０号明細書
【発明の開示】
【発明が解決しようとする課題】
【０００４】
本発明は、ここに救済策を提供するものである。本発明は、独立請求項で特徴付けられるとおり、知られている装置の不利な点を回避し、かつ昇降路条件に適応可能の装置を作るという目的を果たす。
【課題を解決するための手段】
【０００５】
本発明の有利な展開は、独立請求項に示される。
【０００６】
本発明によって達成される利点は、特にベルトが支持手段となる場合に、数個の偏向要素が設けられた、本発明による偏向モジュールにより省スペースエレベータ構成を実現できる点に基本的に認められる。加えて有利なことに、偏向モジュールは、容易に交換でき、それ故異なる断面積の昇降路で有用である。新しい駆動装置が、新規でありかつ新たな誘導される支持手段（例えば平ベルト）とともに、既存のエレベータ設備に容易く組み入れることができる（現代化）。加えて有利なことに、釣り合いおもりの投影の長手方向軸にわたって配置される本発明による偏向モジュールにより、支持手段の斜めの張力とねじれを防ぐことができ、ひいてはこれが、支持手段の耐用年数に好ましく作用する。
【０００７】
エレベータケージと釣り合いおもりとを支持する支持手段を偏向させる、本発明によるエレベータ用偏向モジュールの場合には、複数の支持手段が、支持手段の方向に変化をもたらす偏向ローラに誘導され、各支持手段につき、それぞれの偏向要素が設けられ、偏向要素に、少なくとも一つの偏向ローラの回転可能載置のため少なくとも一つの軸が配置される。
【０００８】
添付の図面を参照しながら本発明をより詳しく説明する。
【発明を実施するための最良の形態】
【０００９】
図１は、モータ１．１、駆動プーリ１．２、及びブレーキ１．３を備える駆動ユニット１を示し、駆動プーリ１．２は、支持手段としての平ベルト２を駆動する。駆動プーリ１．２の中間部は、エレベータケージ３の投影のほぼ中心に位置する。平ベルト２は、従来の偏向モジュール４によって誘導される。偏向モジュールの中間部は、釣り合いおもり５の投影のほぼ中心に位置する。エレベータケージ３と釣り合いおもり５とは、平ベルト２によって支持され、昇降路壁６によって境界をつけられるエレベータ昇降路７内で、平ベルト２によって動かすことができる。偏向モジュール４と駆動ユニットとは、ロッド８によって相互に支持される。
【００１０】
図１で取り囲まれた箇所は、傾斜配置の場合に、または昇降路コーナーにおける釣り合いおもり５の配置の場合に、偏向モジュール４の昇降路壁６とのコンフリクトを示す。従来の偏向モジュール５のコーナーは、昇降路壁６に当たる。唯一の救済策は、昇降路壁６における費用がかかるくぼみであった。
【００１１】
図２は、種々の空間条件に適応できる本発明による偏向モジュール９を示す。支持手段としての平ベルト２は、ほぼ釣り合いおもりの投影の長手方向軸上で偏向される。
【００１２】
図３は、本発明による偏向モジュール９の概略図を示すものであり、偏向要素１０は、互いに対して変位可能である。偏向要素１０は相互に支持され、最も外側の偏向要素１０は、それぞれの側部でベアリングプレート１１によって担持される。従来の偏向モジュール４の矩形構造に対し、偏向要素１０の相互変位可能性によって達成できる最大の角度は、αによって表される。偏向要素１０は、実質的にハウジング１３からなり、ハウジング１３は、軸１２を担持し、かつ相互変位可能性のために、一方側に溝１４および反対側にほぞ１５を有する。偏向ローラ１６が、軸１２で回転可能に配置され、偏向ローラ１６は、支持手段例えば平ベルト２を誘導しかつ偏向させることに適し、または平ベルト２の方向に変化、例えば９０°をもたらすことに適している。くさびリブ付きベルト、またはコグドベルト、またはケーブルを、支持手段として設けることもできる。図４から図７に示すとおり、ベースプレート２８は、平行四辺形の原理により、各偏向要素１０またはハウジング１３が、隣接する偏向要素１０またはハウジング１３に対し同距離だけ変位可能であることを保証する。
【００１３】
図４は、４：１の支持手段誘導のため一体型支持手段固定点７を備える、本発明による偏向モジュール９の立体図を示す。各ベアリングプレート１１は、それぞれのロッド８に連結され、ベアリングプレート１１は、振動減衰器１１．１上に載り、さらに振動減衰器１１．１は、ブラケット（図示せず）上に載る。支持手段固定点１７は、実質的に、支持手段末端連結部１８と、ヨーク１９と、ネジ付きピン２０と、補償スプリング２１とからなる。支持手段末端連結部１８は、支持手段２の末端を固定する。偏向要素１０の箱状ハウジング１３を貫通するブラケット１９は、一端で支持手段末端連結部１８に連結され、他端でネジ付きピン２０に連結される。補償スプリング２１は、一端でハウジング１３に支持され、他端でネジ付きピン２０は、ワッシャ２２とナット２３によって補償スプリング２１に支持される。軸１２．１を有する第一の偏向ローラ１６．１および軸１２．２を有する第二の偏向ローラ１６．２が、４：１の支持手段誘導のために偏向モジュール９で必要であり、支持手段２は、図５に示すとおり、支持手段末端連結部１８から、走程２．１として釣り合いおもり５の第一の偏向ローラ２６に誘導され、次に走程２．２として偏向モジュール９の第一の偏向ローラ１６．１に誘導され、さらに走程２．３として釣り合いおもり５の第二の偏向ローラ２７に誘導され、さらに走程２．４として偏向モジュール９の第二の偏向ローラ１６．２に誘導され、そしてさらに走程２．５として駆動プーリ１．２に誘導される。支持手段２と第一の偏向ローラ１６．１とは、支持手段固定点１７のヨーク１９を貫通する。
【００１４】
図５は、上述した４：１の支持手段誘導のための偏向モジュール９の偏向要素１０を通る断面を示す。
【００１５】
図６は、２：１または１：１の支持手段誘導のための、本発明による偏向モジュール９の立体図を示す。２：１の支持手段誘導の場合には、偏向モジュール９の第二の偏向ローラ１６．２と、釣り合いおもり５またはエレベータケージ３の第二の偏向ローラ２７は、余分である。存在しない第二の偏向ローラ１６．２を除き、偏向モジュール９の構造は、４：１の支持手段誘導の構造と同じである。支持手段２は、支持手段末端連結部１８から、走程２．１として釣り合いおもり５の第一の偏向ローラ２６に誘導され、次に走程２．２として偏向モジュール９の第一の偏向ローラ１６．１に誘導され、そして次に駆動プーリ１．２に誘導される。１：１の支持手段誘導の場合には、支持手段固定点１７と、釣り合いおもり５の偏向ローラと、駆動プーリ３とは、余分である。
【００１６】
溝１４とほぞ１５とは別に、偏向要素１０は、片側にスロット２４を、そして反対側に穴２５を有する。ネジ（図示せず）は、穴２５とスロット２４とを貫通し、各々二つの偏向要素１０を共に堅固に保持する。偏向要素１０の相互変位可能性は、スロット２４によって保証される。
【００１７】
図７は、本発明による偏向モジュール９を下から見て示すものであり、各偏向要素１０または各ハウジング１３は、各々の狭い側部にてベースプレート２８に連結可能である。ベースプレート２８は、二つの中央スロット２８．１と二つの外側スロット２８．２とを有する。中央スロット２８．１の長さは、外側スロット２１．２の半分である。スロット２８．１、２８．２、及びハウジング１３に配置された穴２９を貫通し、かつベースプレート２８をハウジング１３に分離可能に連結する、連結手段、例えばネジは、図示されていない。ベースプレート２８は、平行四辺形の原理により、各偏向要素１０またはハウジング１３が、隣接する偏向要素１０またはハウジング１３に対し同距離だけ変位可能であることを保証する。図７においては、ベースプレート２８が、偏向要素１０と共に平行四辺形を形成する。偏向要素１０の変位がなければ、ベースプレート２８は、偏向要素１０と共に矩形を形成する。
【００１８】
図８は、ハウジング１３の互いに対する変位のためのガイドとして、溝１４とほぞ１５とを備えるハウジング１３の細部を示す。３０及び３１は、偏向ローラ１６．１の軸および偏向ローラ１６．２の軸の受け入れをそれぞれ果たす穴を示す。３２はネジ付きピン２０が通る穴を示す。ネジ付きピン２０は、図９に示すとおりヨーク１９に連結され、さらにヨーク１９には、支持手段固定点１７が配置される。
【図面の簡単な説明】
【００１９】
【図１】支持手段としての平ベルトと従来型の偏向モジュールとを備える駆動ユニットを示す図である。
【図２】支持手段としての平ベルトと本発明による偏向モジュールとを備える駆動ユニットを示す図である。
【図３】本発明による偏向モジュールの概略図である。
【図４】一体型支持手段固定点を備える本発明による偏向モジュールの立体図である。
【図５】４：１の支持手段誘導のための偏向モジュールの偏向要素を通る断面図である。
【図６】２：１の支持手段誘導のための本発明による偏向モジュールの立体図である。
【図７】本発明による偏向モジュールを下から見て示す図である。
【図８】偏向要素ハウジングの細部を示す図である。
【図９】支持手段末端連結部の細部を示す図である。
【符号の説明】
【００２０】
１  駆動ユニット
１．１  モータ
１．２  駆動プーリ
１．３  ブレーキ
２  平ベルト
３  エレベータケージ
４  偏向モジュール
５  釣り合いおもり
６  昇降路壁
７  一体型支持手段固定点
８  ロッド
９  偏向モジュール
１０  偏向要素
１１  ベアリングプレート
１１．１  振動減衰器
１２．１、１２．２  軸
１３  ハウジング
１４  溝
１５  ほぞ
１６  偏向ローラ
１６．１、２６  第一の偏向ローラ
１６．２、２７  第二の偏向ローラ
１７  支持手段固定点
１８  支持手段末端連結部
１９  ヨーク
２０  ネジ付きピン
２１  補償スプリング
２２  ワッシャ
２３  ナット
２４  スロット
２５、２９、３０、３１、３２  穴
２８  ベースプレート
２８．１  中央スロット
２８．２  外側スロット
【図１】
2006321656.tif 000003
【図２】
2006321656.tif 000004
【図３】
2006321656.tif 000005
【図４】
2006321656.tif 000006
【図５】
2006321656.tif 000007
【図６】
2006321656.tif 000008
【図７】
2006321656.tif 000009
【図８】
2006321656.tif 000010
【図９】
2006321656.tif 000011
【外国語明細書】
2006321656.tif 000012
2006321656.tif 000013
2006321656.tif 000014
2006321656.tif 000015
2006321656.tif 000016
2006321656.tif 000017
2006321656.tif 000018
2006321656.tif 000019
2006321656.tif 000020
2006321656.tif 000021
2006321656.tif 000022
2006321656.tif 000023
2006321656.tif 000024
2006321656.tif 000025
2006321656.tif 000026
2006321656.tif 000027
2006321656.tif 000028